(57)【要約】【課題】反転させることなく、キッチン側及びダイニング側のどちらからでも見ることができる表示装置を提供する。【解決手段】間仕切壁Ｗにおける開口部Ｗｗの上側に設置された吊り戸棚ＷＣに取り付けられており、吊り戸棚ＷＣの下面から垂下する表示パネル１０と、この表示パネル１０を、その上端部において、回動可能に吊り戸棚ＷＣの下面に支持する支持部材２０とを備えている。表示パネル１０は、吊り戸棚ＷＣの下面から垂下した状態で、キッチン側を向くキッチン側表示部１１と、ダイニング側を向くダイニング側表示部１２とを備えており、キッチン側表示部１１及びダイニング側表示部１２の下側に、キッチン側にいる人を検知するキッチン側人検知装置１３及びダイニング側にいる人を検知するダイニング側人検知装置１４が取り付けられていると共に、キッチン側表示部１１及びダイニング側表示部１２は照明機能を兼ね備えている。【選択図】        図１
2005234423.tif 000002
【特許請求の範囲】
【請求項１】
キッチンに設置される表示装置であって、
キッチン側を向いたキッチン側表示部と、ダイニング側を向いたダイニング側表示部とを備えていることを特徴とする表示装置。
【請求項２】
キッチン側とダイニング側とを区画する間仕切壁に形成された開口部の上側内端面または前記間仕切壁における前記開口部の上側に設置された吊り戸棚の下面から垂下するように取り付けられており、
上端部を支点として、回動させることができるように、上端部が前記開口部の上側内端面または前記吊り戸棚の下面に支持されている請求項１に記載の表示装置。
【請求項３】
前記キッチン側表示部及び前記ダイニング側表示部は、照明機能を備えている請求項１または２に記載の表示装置。
【請求項４】
キッチン側における人の存在を検知するキッチン側人検知装置と、ダイニング側における人の存在を検知するダイニング側人検知装置とを備え、
前記キッチン側人検知装置によって、キッチン側に人の存在が検知されたときは、前記キッチン側表示部を作動させ、前記ダイニング側人検知装置によって、ダイニング側に人の存在が検知されたときは、前記ダイニング側表示部を作動させるようになっている請求項１、２または３に記載の表示装置。
【発明の詳細な説明】
【技術分野】
【０００１】
この発明は、キッチンに設置される表示装置に関する。
【背景技術】
【０００２】
従来のキッチンには、例えば、図６（ａ）、（ｂ）及び図７に示すように、キッチンＫとダイニングＤとを区画する間仕切壁Ｗに開口部Ｗｗを設け、間仕切壁ＷのキッチンＫ側の壁面における開口部Ｗｗの下側に沿わせるように、シンクを有するキッチンカウンターＫＣをベースキャビネットＢＣの上に装着してなるキッチンユニットＫＵを設置すると共に、間仕切壁ＷのキッチンＫ側の壁面における開口部Ｗｗの上側に吊り戸棚ＷＣやレンジフードＲＦを設置した対面型キッチンがある。
【０００３】
こういった対面型キッチンでは、ガスコンロＧＣ等の加熱調理器の設置領域を除くように、間仕切壁Ｗに開口部Ｗｗが形成されており、同図に示すように、キッチンＫにおいて、調理作業を行いながら、レシピ等の各種情報やテレビジョン番組、映画等の映像を見ることができるように、間仕切壁Ｗの開口部Ｗｗに、それらを映し出す液晶ディスプレイ等からなる表示装置５０を設置したものがある。
【０００４】
【特許文献１】特開２００２−３６９号公報
【発明の開示】
【発明が解決しようとする課題】
【０００５】
ところで、ダイニングＤ側だけに人がいるとき、ダイニングＤ側にいる人が、間仕切壁Ｗの開口部Ｗｗに設置された表示装置５０に映し出される各種情報や映像等を見ることができれば、表示装置５０の有効利用を図ることができるので、キッチンＫ側に調理作業者がいるときは、表示面をキッチンＫ側に向け、ダイニングＤ側に人がいるときは、表示面をダイニングＤ側に向けることができるように、表示装置５０を反転可能に設置しておくことが考えられる。
【０００６】
しかしながら、こういった表示装置５０では、当然のことながら、キッチンＫ側にいる調理作業者やダイニングＤ側にいる人が、必要に応じて、表示装置５０の反転操作を行わなければならず、その反転操作が面倒であるといった問題がある。
【０００７】
また、上述したような対面型キッチンでは、キッチンＫ側にいる調理作業者が、ダイニングＤ側にいる人と向かい合った状態で会話を交わしながら、調理作業を行う場合があるが、そのような場合、キッチンＫ側にいる調理作業者とダイニングＤ側にいる人とが、表示装置５０に映し出されている各種情報や映像を同時に見ることができず、そういった各種情報や映像を共通の話題として会話を行うことができないといった問題もある。
【０００８】
そこで、この発明の課題は、反転させることなく、キッチン側及びダイニング側のどちらからでも見ることができる表示装置を提供することにある。
【課題を解決するための手段】
【０００９】
上記の課題を解決するため、請求項１にかかる発明は、キッチンに設置される表示装置であって、キッチン側を向いたキッチン側表示部と、ダイニング側を向いたダイニング側表示部とを備えていることを特徴とする表示装置を提供するものである。
【００１０】
また、請求項２にかかる発明は、請求項１にかかる発明の表示装置が、キッチン側とダイニング側とを区画する間仕切壁に形成された開口部の上側内端面または前記間仕切壁における前記開口部の上側に設置された吊り戸棚の下面から垂下するように取り付けられており、上端部を支点として回動させることができるように、前記上端部を前記開口部の上側内端面または前記吊り戸棚の下面に支持するようにしたものである。
【００１１】
また、請求項３にかかる発明は、請求項１または２にかかる発明の表示装置において、前記キッチン側表示部及び前記ダイニング側表示部に、照明機能を付与したものである。
【００１２】
また、請求項４にかかる発明は、請求項１、２または３にかかる発明の表示装置において、キッチン側における人の存在を検知するキッチン側人検知装置と、ダイニング側における人の存在を検知するダイニング側人検知装置とを設け、前記キッチン側人検知装置によって、キッチン側に人の存在が検知されたときは、前記キッチン側表示部を作動させ、前記ダイニング側人検知装置によって、ダイニング側に人の存在が検知されたときは、前記ダイニング側表示部を作動させるようにしたものである。
【発明の効果】
【００１３】
以上のように、請求項１にかかる発明の表示装置は、キッチン側を向いたキッチン側表示部と、ダイニング側を向いたダイニング側表示部とを備えているので、表示装置自体を反転させるという面倒な操作を行わなくても、この表示装置に映し出される各種情報や各種映像等を、キッチン側及びダイニング側のいずれの側からでも見ることができると共に、キッチン側及びダイニング側の双方から同時に見ることもできる。
【００１４】
また、請求項２にかかる発明の表示装置は、キッチン側とダイニング側とを区画する間仕切壁に形成された開口部の上側内端面または前記間仕切壁における前記開口部の上側に設置された吊り戸棚の下面から垂下するように取り付けられており、しかも、上端部を支点として回動させることができるように、上端部が開口部の上側内端面または吊り戸棚の下面に支持されているので、表示装置を使用しないときは、表示装置を回動させることによって、間仕切壁に形成された開口部を解放させることができる。
【００１５】
また、請求項３にかかる発明の表示装置は、キッチン側表示部及びダイニング側表示部が照明機能を兼ね備えているので、キッチン側表示部やダイニング側表示部に各種情報や映像等を表示させないときは、手元を照らす補助照明として使用することができる。
【００１６】
特に、キッチン側とダイニング側とを区画する間仕切壁に形成された開口部の上側内端面または前記間仕切壁における前記開口部の上側に設置された吊り戸棚の下面から垂下するように取り付けられており、しかも、上端部を支点として回動させることができるように、上端部が開口部の上側内端面または吊り戸棚の下面に支持されているものにあっては、表示装置を適宜回動させることによって、発光部を手元側に向けることができるので、その照明機能を最大限に発揮させることができる。
【００１７】
また、請求項４にかかる発明の表示装置は、キッチン側人検知装置によって、キッチン側に人の存在が検知されると、キッチン側表示部が自動的に作動し、ダイニング側人検知装置によって、ダイニング側に人の存在が検知されると、ダイニング側表示部が自動的に作動するようになっているので、キッチン側にいる調理作業者やダイニング側にいる人がそれぞれ表示操作を行う必要がなく、使い勝手がよい。
【発明を実施するための最良の形態】
【００１８】
以下、実施の形態について図面を参照して説明する。図１〜図３は、この発明にかかる表示装置１が取り付けられた対面型キッチンを示している。この対面型キッチンは、図６及び図７に示す対面型キッチンと同一構成であるため、同一構成要素には同一符号を付してその説明を省略する。
【００１９】
この表示装置１は、図１（ａ）、（ｂ）及び図２に示すように、間仕切壁Ｗにおける開口部Ｗｗの上側に設置された吊り戸棚ＷＣに取り付けられており、吊り戸棚ＷＣの下面から垂下する表示パネル１０と、この表示パネル１０を、その上端部において、回動可能に吊り戸棚ＷＣの下面に支持する支持部材２０とを備えている。
【００２０】
前記表示パネル１０は、吊り戸棚ＷＣの下面から垂下した状態で、キッチンＫ側を向くキッチン側表示部１１と、ダイニングＤ側を向くダイニング側表示部１２とを備えており、キッチン側表示部１１及びダイニング側表示部１２は、それぞれ液晶ディスプレイによって形成されている。
【００２１】
また、表示パネル１０には、キッチン側表示部１１及びダイニング側表示部１２の下側に、キッチンＫ側にいる人を検知するキッチン側人検知装置１３及びダイニングＤ側にいる人を検知するダイニング側人検知装置１４が取り付けられており、キッチン側人検知装置１３及びダイニング側人検知装置１４は、赤外線を利用して、人の存在を検知すると共に、検知した人の表示パネル１０からの距離を測定することができるようになっている。
【００２２】
そして、表示装置１の電源スイッチ（図示せず）がＯＮされている状態において、キッチン側人検知装置１３やダイニング側人検知装置１４によって、表示パネル１０から所定の距離範囲内に人の存在が検知されると、検知された人のほうを向いているキッチン側表示部１１やダイニング側表示部１２が自動的に表示動作を開始するようになっており、表示パネル１０から所定の距離範囲内に人の存在が検知されなくなると、所定時間が経過した時点で、その表示動作を自動的に停止するようになっている。
【００２３】
また、キッチン側表示部１１及びダイニング側表示部１２は、各種情報や各種映像等を表示する表示機能だけでなく、白色表示に切り替えることによって照明を行う照明機能を兼ね備えており、表示装置１の電源スイッチ（図示せず）がＯＮされている状態において、この表示パネル１０を、吊り戸棚ＷＣの下面に沿うような水平状態までキッチンＫ側に回動させると、図３に示すように、上側（吊り戸棚ＷＣの下面側）を向いているキッチン側表示部１１による表示動作が自動的に停止されると共に、下側（キッチンユニットＫＵのキッチンカウンターＫＣの上面側）を向いているダイニング側表示部１２が、表示モードから照明モードに自動的に切り替わるようになっている。
【００２４】
以上のように、この表示装置１は、吊り戸棚ＷＣの下面から垂下した状態で、キッチンＫ側を向くキッチン側表示部１１と、ダイニングＤ側を向くダイニング側表示部１２とを備えているので、この表示装置１に映し出される各種情報や各種映像等を、キッチンＫ側及びダイニングＤ側のいずれの側からでも見ることができると共に、キッチンＫ側及びダイニングＤ側の双方から同時に見ることもできる。
【００２５】
また、この表示装置１は、電源スイッチがＯＮされている状態において、キッチン側人検知装置１３やダイニング側人検知装置１４によって、表示パネル１０から所定の距離範囲内に人の存在が検知されると、検知された人のほうを向いているキッチン側表示部１１やダイニング側表示部１２が自動的に表示動作を開始するようになっており、人の存在が検知されなくなってから所定時間が経過すると、その表示動作を自動的に停止するようになっているので、キッチンＫ側にいる調理作業者やダイニングＤ側にいる人がそれぞれ表示操作や表示停止操作を行う必要がなく、使い勝手がよい。
【００２６】
また、この表示装置１は、表示パネル１０が、支持部材２０を介して、吊り戸棚ＷＣの下面に回動可能に支持されているので、表示装置１を使用しないときは、表示パネル１０を、吊り戸棚ＷＣの下面に沿うような水平状態までキッチンＫ側に回動させることによって、間仕切壁Ｗに形成された開口部Ｗｗを解放させることができる。
【００２７】
また、この表示装置１は、キッチン側表示部１１及びダイニング側表示部１２が照明機能を兼ね備えており、しかも、電源スイッチがＯＮされている状態において、表示パネル１０を、吊り戸棚ＷＣの下面に沿うような水平状態までキッチンＫ側に回動させると、上側を向いているキッチン側表示部１１による表示動作が自動的に停止され、下側を向いているダイニング側表示部１２が、表示モードから照明モードに自動的に切り替わるようになっているので、キッチン側表示部１１やダイニング側表示部１２に各種情報や映像等を表示させないときは、キッチンＫ側にいる調理作業者の手元を照らす補助照明として使用することができる。
【００２８】
なお、上述した実施形態では、表示装置１を吊り戸棚ＷＣの下面に取り付けているが、これに限定されるものではなく、例えば、図４に示すように、間仕切壁Ｗにおける開口部Ｗｗの上側内端面に取り付けることも可能である。
【００２９】
また、上述した各実施形態では、表示装置１が、間仕切壁Ｗにおける開口部Ｗｗの上側に設置された吊り戸棚ＷＣの下面や間仕切壁Ｗにおける開口部Ｗｗの上側内端面から垂下するように、吊り戸棚ＷＣの下面や開口部Ｗｗの上側内端面に回動可能に支持されているが、これに限定されるものではなく、例えば、図５に示すように、間仕切壁Ｗに形成された開口部Ｗｗの下側内端面上に表示装置２を固定設置することも可能である。特に、キッチンとダイニングとを区画する間仕切り壁が存在しないタイプの対面型キッチンでは、ダイニング側に張り出したカウンター部分に、同様の表示装置を固定設置すればよい。
【００３０】
また、上述した実施形態では、キッチン側表示部１１及びダイニング側表示部１２が、それぞれ液晶ディスプレイによって形成されているが、これに限定されるものではなく、有機ＥＬディスプレイ等の各種ディスプレイを採用することができることはいうまでもない。
【００３１】
また、上述した実施形態では、キッチン側表示部１１及びダイニング側表示部１２に同一の情報や映像が表示されるようになっているが、これに限定されるものではなく、キッチン側にいる調理作業者やダイニング側にいる人に合わせて、キッチン側表示部１１やダイニング側表示部１２に異なる情報や映像等を表示させることも可能である。
【００３２】
また、上述した実施形態では、キッチン側人検知装置１３やダイニング側人検知装置１４によって人の存在が検知されると、キッチン側表示部１１やダイニング側表示部１２が自動的に表示動作を開始し、人の存在が検知されなくなってから所定時間が経過すると、その表示動作を自動的に停止するようになっているが、これに限定されるものではなく、キッチン側人検知装置１３やダイニング側人検知装置１４を設けずに、キッチン側にいる調理作業者やダイニング側にいる人に操作させるようにしてもよい。
【００３３】
また、上述した実施形態では、表示パネル１０を、吊り戸棚ＷＣの下面に沿うような水平状態までキッチンＫ側に回動させると、キッチン側表示部１１が表示動作を自動的に停止し、ダイニング側表示部１２が、表示モードから照明モードに自動的に切り替わるようになっているが、これに限定されるものではなく、表示パネル１０の姿勢に拘わらず、表示モードと照明モードの切換操作を、キッチン側にいる調理作業者に行わせるようにしてもよい。
【００３４】
また、上述した実施形態では、キッチン側人検知装置１３やダイニング側人検知装置１４を表示パネル１０に取り付けているが、これに限定されるものではなく、キッチンユニットに取り付けることも可能である。
【図面の簡単な説明】
【００３５】
【図１】（ａ）はこの発明にかかる表示装置の一実施形態が取り付けられた対面型キッチンを示す正面図、（ｂ）は同上の対面型キッチンを示す背面図である。
【図２】同上の対面型キッチンを示す側面図である。
【図３】同上の表示装置の使用態様を示す対面型キッチンの側面図である。
【図４】他の実施形態を示す側面図である。
【図５】他の実施形態を示す側面図である。
【図６】（ａ）は従来の表示装置が取り付けられた対面型キッチンを示す正面図、（ｂ）は同上の対面型キッチンを示す背面図である。
【図７】同上の対面型キッチンを示す側面図である。
【符号の説明】
【００３６】
１、２  表示装置
１０  表示パネル
１１  キッチン側表示部
１２  ダイニング側表示部
１３  キッチン側人検知装置
１４  ダイニング側人検知装置
２０  支持部材
ＢＣ  ベースキャビネット
ＫＣ  キッチンカウンター
ＫＵ  キッチンユニット
ＷＣ  吊り戸棚
Ｄ  ダイニング
Ｋ  キッチン
Ｗ  間仕切壁
Ｗｗ  開口部
【図１】
2005234423.tif 000003
【図２】
2005234423.tif 000004
【図３】
2005234423.tif 000005
【図４】
2005234423.tif 000006
【図５】
2005234423.tif 000007
【図６】
2005234423.tif 000008
【図７】
2005234423.tif 000009